(57)【特許請求の範囲】
【請求項１】
無線通信システムにおいて動作可能な装置であって、
１または複数のアップリンク・キャリアのための送信データを生成するプロセッサと、
前記１または複数のアップリンク・キャリアに関連付けられた送信タイミングを同期させる同期構成要素と、
前記同期構成要素による同期後に前記１または複数のアップリンク・キャリアを送信する送信構成要素と、
前記プロセッサに接続され、前記送信データを格納するためのメモリと
を備え、
前記１または複数のアップリンク・キャリアは、少なくともアンカ・キャリアを備え、これによって、前記アンカ・キャリアのアップリンク送信タイミング、または、前記アンカ・キャリアおよび１または複数の非アンカ・キャリアの送信タイミングの組み合わせによって、共通アップリンク送信タイミングが決定されるようにした装置。
【請求項２】
前記送信データを多重化するためのマルチプレクサをさらに備える請求項１に記載の装置。
【請求項３】
前記同期構成要素による同期後に、前記１または複数のアップリンク・キャリアのデータ・ストリームを結合することによって得られる単一のデジタル・データ・ストリームをアナログ信号に変換するデジタル・アナログ変換器をさらに備える請求項１に記載の装置。
【請求項４】
無線通信システムにおいて使用される方法であって、
情報を送信するため１または複数のアップリンク・キャリアを構成することと、
前記１または複数のアップリンク・キャリアが、予め定められたフェーズ関係を互いに持つように、前記１または複数のアップリンク・キャリアを同期させることと、
前記同期後に、前記アップリンク・キャリアを送信することと
を備え、
前記構成することは、アンカ・キャリアを構成することを含み、
前記同期させることはさらに、前記アンカ・キャリアの送信タイミングに基づいて、あるいは、前記アンカ・キャリアおよび、前記アップリンク・キャリア内に備えられた１または複数の非アンカ・キャリアの送信タイミングの組み合わせに基づいて、前記１または複数のアップリンク・キャリアを同期させることを含む方法。
【請求項５】
前記同期がなされると、前記アップリンク・キャリアを、受信されたキャリアのうちの少なくともサブセットとペアリングすることをさらに備える請求項４に記載の方法。
【請求項６】
情報を送信するため１または複数のアップリンク・キャリアを構成することと、
前記１または複数のアップリンク・キャリアが、時間において互いに揃うように、前記アップリンク・キャリア間で送信タイミングを同期させることと、
前記アップリンク・キャリアのうちの少なくとも１つをアンカ・キャリアとして構成することと、
少なくとも、前記アンカ・キャリアの送信タイミングに基づいて、あるいは、前記アンカ・キャリアおよび、前記アップリンク・キャリア内に備えられた１または複数の非アンカ・キャリアの送信タイミングの組み合わせに基づいて、前記アップリンク・キャリア間での時間アライメントを維持することと、
のためのコードを記録したコンピュータ読取可能な記録媒体。
【請求項７】
前記アップリンク・キャリアを、単一のストリームに結合するための命令群をさらに記録した請求項６に記載のコンピュータ読取可能な記録媒体。
【請求項８】
前記単一のストリームを、送信のためアナログ信号に変換するための命令群をさらに記録した請求項７に記載のコンピュータ読取可能な記録媒体。
【請求項９】
無線通信システムにおいて動作可能な装置であって、
データを送信するため１または複数のキャリアを構成する手段と、
前記１または複数のキャリアが、予め定められた時間アライメントを互いに維持するように、前記キャリア間の送信タイミングを同期させるための手段と、
前記１または複数のキャリアのうちの少なくとも１つを、アンカ・キャリアとして構成する手段と、
少なくとも、前記アンカ・キャリアの送信タイミングに基づいて、あるいは、前記アンカ・キャリアおよび１または複数の非アンカ・キャリアの送信タイミングの組み合わせに基づいて、前記キャリア間での時間アライメントを維持する手段と、
を備えた装置。
【請求項１０】
無線通信システムにおいて動作可能な装置であって、
１または複数のアップリンク・キャリアを、送信元のＵＥから受信する受信機と、
前記１または複数のアップリンク・キャリアによって前記ＵＥから受信したデータを読み取るプロセッサとを備え、
前記アップリンク・キャリアの送信タイミングが、互いに同期され、
前記アップリンク・キャリアのうちの少なくとも１つは、アンカ・キャリアであり、
前記アップリンク・キャリアの送信タイミングは、前記アンカ・キャリアに割り当てられた送信タイミングに基づいて、あるいは、前記アンカ・キャリアおよび、前記アップリンク・キャリア内に備えられた１または複数の非アンカ・キャリアに関連付けられた送信タイミングの組み合わせに基づいて決定される装置。
【請求項１１】
無線通信システムにおいて使用される方法であって、
少なくとも１つのアップリンク・アンカ・キャリアを備える複数のキャリアを受信することと、
前記複数のアップリンク・アンカ・キャリア内に備えられた非アンカ・キャリアの送信タイミングを、対応するアンプリンク・アンカ・キャリアの送信タイミングに基づいて、あるいは、前記対応するアップリンク・アンカ・キャリアおよび、前記対応するアップリンク・アンカ・キャリアに関連付けられた１または複数のその他の非アンカ・キャリアの送信タイミングの組み合わせに基づいて推定することと
を備える方法。
【請求項１２】
前記複数のキャリアのうちの少なくともサブセットを送信しているＵＥの位置を、前記複数のキャリアのサブセットの送信タイミングに基づいて判定することをさらに備える請求項１１に記載の方法。
【請求項１３】
前記複数のキャリアを、複数のＵＥから受信することをさらに備える請求項１１に記載の方法。
【請求項１４】
少なくとも、それぞれのアップリンク・キャリアの、推定された送信タイミングに基づいて、前記複数のＵＥからの送信を同時に処理することをさらに備える請求項１３に記載の方法。
【請求項１５】
１または複数のアップリンク・アンカ・キャリアを備える複数のキャリアを受信することと、
前記複数のキャリア内に備えられた少なくとも１つの非アンカ・キャリアの送信タイミングを、対応するアップリンク・アンカ・キャリアの送信タイミングに基づいて、あるいは、前記対応するアップリンク・アンカ・キャリアおよび、前記対応するアップリンク・アンカ・キャリアに関連付けられた１または複数のその他の非アンカ・キャリアの送信タイミングの組み合わせに基づいて決定することと、
のためのコードを記録したコンピュータ読取可能な記録媒体。
【請求項１６】
前記複数のキャリアのうちの少なくともサブセットを送信しているＵＥの位置を、少なくとも、前記複数のキャリアのサブセットの送信タイミングに基づいて決定するためのコードをさらに記録した請求項１５に記載のコンピュータ読取可能な記録媒体。
【請求項１７】
前記複数のキャリアを、複数のＵＥから受信するためのコードをさらに記録した請求項１５に記載のコンピュータ読取可能な記録媒体。
【請求項１８】
前記複数のＵＥからの送信を、少なくとも、それぞれの非アンカ・キャリアの送信タイミングに基づいて同時に処理するためのコードをさらに記録した請求項１７に記載のコンピュータ読取可能な記録媒体。
【請求項１９】
無線通信システムにおいて動作可能な装置であって、
少なくとも１つのアンカ・キャリアを備える複数のキャリアを受信する手段と、
前記複数のキャリア内に備えられた少なくとも１つの非アンカ・キャリアの送信タイミングを、少なくとも、前記アンカ・キャリアの送信タイミングに基いて、あるいは、前記アンカ・キャリアおよび、前記複数のキャリア内に備えられた１または複数のその他の非アンカ・キャリアの送信タイミングの組み合わせに基いて決定する手段と
を備える装置。
【発明の詳細な説明】
【優先権の主張】
【０００１】
本願は、本願の譲受人に譲渡され、本明細書において参照によって明確に組み込まれた、２００９年３月１７日に出願された「マルチ・キャリアＨＳＵＰＡにおけるＵＥクロス・キャリア送信タイミング同期」（UE CROSS-CARRIER TRANSMIT TIMING SYNCHRONIZATION IN MULTI-CARRIER HSUPA）と題された仮出願６１／１６０，９８７に対する優先権を主張する。
【技術分野】
【０００２】
以下の説明は、一般に、無線通信システムに関し、さらに詳しくは、キャリア・タイミングに関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力、複数入力単一出力、あるいは、複数入力複数出力（ＭＩＭＯ）システムによって確立されうる。
【０００５】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【０００７】
マルチ・キャリアＨＳＤＰＡ（高速ダウンリンク・パケット接続）技術は、シングル・キャリアＨＳＤＰＡと比べて、パケット・データ・トラフィックを送信するための通信システムの機能を高める。制御チャネル（ＨＳ−ＳＣＣＨ：高速共有制御チャネル、ＨＳ−ＳＩＣＨ：高速共有情報チャネル）およびトラフィック・チャネル（ＨＳ−ＤＳＣＨ：高速ダウンリンク共有チャネル）の確立および維持は、シングル・キャリアＨＳＤＰＡシステムにおけるものに類似しているが、ＨＳＤＰＡのマルチ・キャリア送信の要件を満足しない。通信システムにおいて複数のキャリアを適用することは、ノードＢとＵＥとの両方におけるキャリアの受信および復号を複雑にする。したがって、マルチ・キャリアＨＳＤＰＡ技術によって与えられる利点を保持しながら、複数のキャリアの送信／受信を単純化するための解決策が追求されうる。
【発明の概要】
【０００８】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００９】
無線通信システムは、例えば、音声、データ等のようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【００１０】
態様によれば、さまざまなキャリアを同期化するために無線通信システムにおいて動作可能な装置が開示される。この装置は、プロセッサ、同期構成要素、送信構成要素、およびメモリを備える。プロセッサは、１または複数のアップリンク・キャリアのための送信データを生成する。同期構成要素は、１または複数のアップリンク・キャリアに関連付けられた送信タイミングを同期させる。プロセッサに接続されたメモリが、データを格納している間、送信構成要素は、同期されたキャリアをノードＢへ送信する。これらキャリアは、少なくとも１つのアンカ・キャリアを備えうる。これによって、アンカ・アップリンク送信タイミングによって、あるいは、アンカ・キャリアと、１または複数の非アンカ・キャリアとの送信タイミングの組み合わせによって、共通アップリンク送信タイミングが決定されようになる。この装置はさらに、データを多重化するためのマルチプレクサと、同期されたデータ・ストリームを結合することによって得られた単一のデジタル・データ・ストリームを、アナログ信号に変換するデジタル・アナログ変換器とを備えうる。
【００１１】
態様にしたがって、アップリンク・キャリアの同期を容易にする送信の方法が開示される。この方法は、情報を送信するために、１または複数のアップリンク・キャリアを構成することを含む。ここでは、アップリンク・キャリアのうちの少なくとも１つは、アンカ・キャリアである。アップリンクのために複数のキャリアが構成された場合、これら複数のキャリアは、少なくとも、受信されたダウンリンク・キャリアのサブセットとペアをなす。その後、アップリンク・キャリアが同期される。これによって、これらアップリンク・キャリアは、予め定められたフェーズ関係を互いに持つようになる。複数のキャリア間の予め定められたフェーズ関係は、アンカ・キャリアの送信タイミングに依存する。このように同期されたアップリンク・キャリアがその後送信される。
【００１２】
別の態様によれば、コンピュータ読取可能媒体を備えるコンピュータ・プログラム製品が開示される。このコンピュータ読取可能媒体は、ノードＢに情報を送信するために、１または複数のアップリンク・キャリアを構成するためのコードを備える。ここでは、アップリンク・キャリアのうちの少なくとも１つは、アンカ・キャリアである。このコンピュータ読取可能媒体はまた、アップリンク・キャリア間で送信タイミングを同期させるためのコードを備える。これによって、アップリンク・キャリアの送信波形が、時間において揃えられるようになる。ここでは、アンカ・キャリアの送信タイミング、あるいは、アンカ・キャリアと、１または複数の２次キャリアとの組み合わせが、アップリンク・キャリア間のフェーズ関係を決定する。このコンピュータ読取可能媒体はさらに、アップリンク・キャリアを、単一のストリームに結合するためのコードを備える。単一のストリームは、送信のために、アナログ信号に変換される。
【００１３】
また、別の態様にしたがって、無線通信システムにおいて動作可能な装置が開示される。この装置は、セル内のノードＢにデータを送信するために、１または複数のキャリアを構成するための手段を備える。この装置はまた、キャリア間で送信タイミングを同期させるための手段を備える。これによって、キャリアは、予め定められたフェーズ関係を互いに持つようになる。
【００１４】
また別の態様にしたがって、無線通信システムにおいて動作可能な装置が開示される。この装置は受信機とプロセッサとを含む。受信機は、送信しているＵＥから、１または複数のアップリンク・キャリアを受信する。ここでは、アップリンク・キャリアの送信タイミングが、互いに同期される。プロセッサは、少なくとも１つがアンカ・キャリアである１または複数のアップリンク・キャリアによってＵＥから受信したデータを読み取る。アップリンク非アンカ・キャリアの送信タイミングは、ノードＢによってアンカ・キャリアへ割り当てられた送信タイミングに基づいて、あるいは、アンカ・キャリアおよび非アンカ・キャリアの送信タイミングを結合することによって、推定される。アップリンク非アンカ・キャリアの送信タイミングは、対応するアンカ・キャリアと同期されるので、アップリンクで受信された別の非アンカ・キャリアの送信タイミングが決定されうる。これは、セル内の別のＵＥから受信したさまざまな送信の並列処理を容易にする。
【００１５】
また、別の態様にしたがって、無線通信システムにおいて使用される方法が開示される。この方法は、複数のキャリアを受信することと、複数のキャリア内に備えられた非アンカ・キャリアの送信タイミングを決定することとからなる各ステップを備える。複数のキャリアは、少なくとも１つのアンカと、１または複数の非アンカ・キャリアとを備えうる。これによって、非アンカ・キャリアの送信タイミングは、対応するアップリンク・アンカ・キャリアの送信タイミングに基づくように、または、アンカ・キャリアと非アンカ・キャリアとの送信タイミングを組み合わせに基づくようになる。これは、キャリアのサブセットの送信タイミングに基づいて、複数のキャリアの少なくともサブセットを送信しているＵＥの位置を判定することを容易にする。
【００１６】
さらなる態様では、複数のキャリアが、複数のＵＥによって送信されうる。この態様は、少なくともアップリンク・キャリアの送信タイミングに基づいて、複数のＵＥからの送信を同時に処理することを容易にする。
【００１７】
また、別の態様にしたがって、無線通信システムにおいて動作可能な装置が開示される。この装置は、少なくとも１つのアンカ・キャリアを備える複数のキャリアを受信する手段を含む。この装置はまた、複数のキャリア内に備えられた非アンカ・キャリアの送信タイミングを、少なくとも、アンカ・キャリアの送信タイミング、または、アンカ・キャリアと非アンカ・キャリアとの送信タイミングに基づいて決定する手段を備える。
【００１８】
前述した目的および関連する目的を達成するために、１または複数の実施形態は、後に十分に記載され、特許請求の範囲において特に指摘されている特徴を備える。次の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１９】
【図１】図１は、１または複数の態様にしたがう多元接続無線通信システムの概要図である。
【図２】図２は、態様にしたがって、アップリンク・キャリアを送信するＵＥの概要図を例示する。
【図３】図３は、本明細書に開示されたさまざまな態様にしたがってアップリンク・チャネルの同期を実現するＵＥの概要図である。
【図４】図４は、態様にしたがってアップリンク送信を復号する方法論を示す。
【図５】図５は、より詳細な態様にしたがってアップリンク送信を構成する方法論を例示するフロー・チャートである。
【図６】図６は、態様にしたがってアップリンク送信を受信する方法を詳述するフロー・チャートである。
【図７】図７は、非アンカ・アップリンク・キャリアの、対応するアンカ・キャリアとの同期によって、ノードＢでなされる並列処理を詳述するフロー・チャートである。
【図８】図８は、態様にしたがって、アップリンク送信を受信し、送信元のＵＥの位置を判定するための方法を詳述するフロー・チャートである。
【図９】図９は、本明細書に記載された別の態様にしたがってアップリンク送信を受信および処理するためのノードＢの概要図を例示する。
【図１０】図１０は、ＭＩＭＯシステムにおける送信機システム（アクセス・ポイントまたは基地局またはノードＢとしても知られている）および受信機システム（アクセス端末またはユーザ機器としても知られている）の実施形態のブロック図である。
【図１１】図１１は、例示された１つの実施形態にしたがう多元接続無線通信システムである。
【発明を実施するための形態】
【００２０】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００２１】
本願で使用されるように、用語「構成要素」、「モジュール」、「システム」等は、限定される訳ではないが、ハードウェア、ファームウェア、ハードウェアとソフトウェアとの組み合わせ、ソフトウェア、あるいは実行中のソフトウェアのようなコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００２２】
さらに、本明細書では、さまざまな態様が、有線端末または無線端末でありうる端末と関連して説明される。端末は、システム、デバイス、加入者ユニット、加入者局、移動局、モバイル、モバイル・デバイス、遠隔局、遠隔端末、アクセス端末、ユーザ端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有する任意のハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末と通信するために利用され、アクセス・ポイント、ノードＢ、あるいはその他いくつかの用語で称されうる。
【００２３】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２４】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現することができる。ＵＴＲＡは、広帯域ＣＤＭＡ（Ｗ−ＣＤＭＡ）およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２５】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２６】
図１を参照して、１または複数の態様にしたがう多元接続無線通信システム１００が例示される。無線通信システム１００は、１または複数のＵＥに接続する１または複数の基地局を含みうる。単一のＵＥしか図示されていないが、基地局／ノードＢ１０２はそれぞれ、複数のＵＥのために有効通信範囲を提供する。ＵＥ１０４は、ノードＢ１０２と通信している。ノードＢ１０２は、順方向リンク／ダウンリンク１０６でＵＥ１０４に情報を送信し、アップリンク／逆方向リンク１０８でＵＥ１０４から情報を受信する。順方向リンク（すなわちダウンリンク）は、基地局からモバイル・デバイスへの通信リンクを称し、逆方向リンク（すなわちアップリンク）は、モバイル・デバイスから基地局への通信リンクを称する。システム１００は、マルチ・キャリア通信システムである。ここでは、ＵＥ１０４と通信するために、複数のキャリアが、ノードＢ１０２によって利用される。ダウンリンク・キャリア１０６Ａ−Ｃのおのおのは、対応するアップリンク・キャリア１０８Ａ−Ｃとペアをなす。ダウンリンク・キャリアとアップリンク・キャリアとの間の一対一の対応が例示されているが、この必要はないことが認識されるべきである。例えば、ノードＢ１０２が複数のキャリアで送信している間、ＵＥ１０４は、ノードＢ１０２と通信するために、これらキャリアのサブセットのみを使用しうる。さらに、通信システム１００内では、提供するサービスのタイプに基づいて、さまざまな種類のキャリアが区別される。これらのキャリアは、アンカ・キャリア、非アンカ・キャリア等を備えうる。アンカ・キャリアは、接続モードとアイドル・モードとの両方において、ＵＥのＳＩ（システム情報）の通信を容易にする。非アンカ・キャリアは、接続モードにあるＵＥしかサポートせず、システム情報（ＳＩ）等を送信しない。
【００２７】
ＷＣＤＭＡでは、アップリンク送信タイミングが、ダウンリンク・タイミングから導出される。これは、シングル・キャリア・システムについて明確に定義される。３ＧＰＰリリース８で定義されているようなＨＳＵＰＡで開示されているように、ダウンリンクで複数のキャリアを用いることによって、おのおののノードＢにおいて、キャリア間の送信タイミング同期が使用されうる。本特許出願の１つの例では、アップリンク送信タイミングは、マルチ・キャリアＨＳＵＰＡにおける複数のキャリア間のおのおののＵＥにおいて同期されうる。
【００２８】
シングル・キャリア通信システム１００内では、ノードＢ１０２は、チャネル・タイミングを決定し、チャネル・タイミングを、ダウンリンク送信１０６によってＵＥ１０４に送信する。ＵＥ１０４は、アップリンク送信のためのタイミングを決定するために、ノードＢ１０２からのパイロット・チャネル送信を復号する。したがって、ＵＥ１０４は、ノードＢ１０２のフレーム・タイミング変化に追随する機能を有する。
【００２９】
通信システム１００はマルチキャリア・システムであるので、ＵＥ１０４は、対応するアップリンク・キャリアのためのタイミングを決定するために、複数のパイロット送信を復号する。したがって、アップリンク送信時間のおのおのは、ダウンリンクで受信された対応するパイロット・チャネルに基づいており、その他のアップリンク送信タイミングとは独立して決定される。アップリンクＤＰＣＣＨ（専用物理制御チャネル）／ＤＰＤＣＨ（専用物理データ・チャネル）送信は、基準セルからの対応するダウンリンクＤＰＣＣＨ／ＤＰＤＣＨまたはＦ−ＤＰＣＨフレームの、検出された第１のパスを受信した後（時間内に）、約Ｔ０チップをとる。ダウンリンクＤＰＣＣＨ／ＤＰＤＣＨ／Ｆ−ＤＰＣＨ（部分専用物理チャネル）における送信タイミングとは異なり、アップリンク送信タイミングは、第１の到着パスのＵＥ時間追跡にも依存しうる。送信タイミングを復号する精度は、ＵＥ時間追跡ループ（ＴＴＬ）パフォーマンスに依存する。
【００３０】
デュアル・キャリアＨＳＤＰＡ（高速ダウンリンク・パケット・アクセス）では、２つのキャリアの送信タイミングが、ＣＰＩＣＨ（共通パイロット・チャネル）およびユーザ毎のＰＤＣＣＨ／ＤＰＤＣＨ／Ｆ−ＤＰＣＨフレームの両方について、おのおののノードＢにおいて同期される。これは、ＵＥによるキャリアの獲得を単純化する。前述したように、アップリンク・キャリア・タイミングは、これらそれぞれのパイロット・チャネルによって決定され、自動的には同期されない。これは、ノードＢ１２２によってアップリンク送信を獲得する際に、誤り／複雑さをよりもたらすことになる。マルチキャリア・システム１００では、複数のダウンリンク・キャリアのすべてまたはサブセットとペアとなされるべき複数のアップリンク・キャリアが存在する場合、このような誤りは、すべてのアップリンク・キャリアにおける送信タイミングを同期させることによって緩和されうる。この同期機能は、３ＧＰＰリリース９において複数のダウンリンク・キャリアが許可されている場合、すべてのキャリアに拡張されうる。複数のダウンリンク・キャリアのすべてまたはサブセットとペアをなす複数のアップリンク・キャリアが存在する場合、すべてのアップリンク・キャリアにおける送信タイミングを同期させることが望ましいことがありうる。
【００３１】
共通アップリンク送信タイミングは、アンカ・アップリンク送信タイミングによって、あるいは、アンカ・キャリアと、１または複数の非アンカ・キャリアとの送信タイミングの組み合わせによって決定されうる。したがって、同期構成要素１１０は、ＵＥ１０４に関連付けられたプロセッサによって生成されたデータを受信し、適切な処理（チャネル符号化／多重化、拡散等）がなされると、連続的なフェーズ・シフトによって変更がなされた後、複数のデジタル・ストリームが結合され、デジタル・アナログ変換のための単一のストリームが生成される。これによって、アナログ信号が、その後、送信構成要素１１２によって送信される。
【００３２】
図２は、態様にしたがって、アップリンク・キャリアを送信するＵＥの概要図を例示する。前述したように、ＵＥ２００は、さまざまな伝送を送信／受信するトランシーバ構成要素２０２から構成される。ＵＥ２００はさらに、処理構成要素２０４および同期構成要素２０６から構成される。処理構成要素２０４および同期構成要素２０６は、個別に示されているが、この必要はないことが認識されうる。これらの構成要素によって実行される機能は、これよりも多い、または、少ない数の構成要素によって実行されうる。トランシーバ構成要素２０２は、（図示しない）ノードＢからのダウンリンク送信を受信する。態様にしたがって、ダウンリンク送信は、アップリンク・キャリアのための送信タイミングを決定する制御データを備えうる。特に、ダウンリンク制御データは、アップリンク・アンカ・キャリアの送信タイミングを決定しうる。ＵＥは、一般に、ノードＢによって割り当てられたようなアンカ・キャリアによってサービス提供される。しかしながら、ＵＥからノードＢへのアップリンク送信はまた、ＳＩを送信するアンカ・キャリアに加えて、１または複数の非アンカ・キャリアからも構成されうる。したがって、ＵＥ２００は、アンカ・キャリア２１０および２つの非アンカ・キャリア２１２、２１４によってノードＢへ情報を送信する。２つの非アンカ・キャリアが例示されているが、非アンカ・キャリアの数は、２よりも多くも、少なくもなりうることが認識されるべきである。ＵＥ２００によって受信されたダウンリンク送信は、アップリンク・アンカ・キャリア送信タイミングを決定するために、処理構成要素２０４によって分析される。さらに、同期構成要素２０６は、アンカ・キャリア２１０と非アンカ・キャリア２１２、２１４とを含むすべてのアップリンク・キャリアをも同期させ、これによって、これらアップリンク・キャリアは特に、フェーズ関係を互いに持つようになる。さらに詳細な態様では、フェーズ関係は、処理構成要素２０４によって決定されたようなアンカ・キャリア送信タイミングと、アンカ／非アンカ・キャリア送信タイミングの組み合わせとに基づきうる。しかしながら、アンカ・キャリアと非アンカ・キャリアとの間の特定の関係は、アンカ・キャリア２１０と少なくとも１つの非アンカ・キャリアとの送信タイミングの組み合わせ、または、ノードＢによって指定されたようなアンカ・キャリア２１０の送信タイミングに依存するであろうことが認識されうる。さらなる態様では、すべてのアップリンク・キャリアに共通であるアップリンク・タイミングが、アンカ・キャリアにおいて測定されたダウンリンク・タイミング、あるいは、アンカ・キャリアと２次キャリアとの両方に基づいて導出される。この態様では、アップリンク・アンカ・キャリア２１０の送信タイミング、および、アップリンク非アンカ・キャリア２１２のうちの１つの送信タイミングが、ノードＢによって決定されうる。アップリンク非アンカ・キャリア２１４の送信タイミングは、アップリンク・アンカ・キャリア２１０およびアップリンク非アンカ・キャリア２１２の送信タイミングの組み合わせによって決定されうる。この手順は、限定ではなく例示の手段としてのみ記載されることが認識されるべきである。例えば、この態様では、アップリンク非アンカ・キャリアの送信タイミングを決定する別の方法論が考慮されうる。その後の方法論によれば、非アンカ・キャリア２１２の送信タイミングが先ず、アンカ・キャリア２１０の送信タイミングから導出され、非アンカ・キャリア２１４の送信タイミングがさらに、アンカ・キャリア２１０および非アンカ・キャリア２１２の送信タイミングの組み合わせに基づいて導出されうる。これらの手順は、２つの非アンカ・キャリアのみに関して記述されているが、非アンカ・キャリアの数によって限定されず、アンカ・キャリア／非アンカ・キャリアの数に関わらず実施されうることがさらに認識されうる。ダウンリンクで送信するノードＢは、アップリンク・アンカ・キャリア送信タイミングを予め知っているので、アップリンク非アンカ・キャリア送信タイミングを都合良く復号しうる。なぜなら、アップリンク非アンカ・キャリア送信タイミングはすべて、アンカ・キャリア送信タイミングに基づいて、互いに明らかな関係を持っているからである。したがって、予め定められたフェーズ関係を互いに有する同期されたアップリンク・キャリアを送信することによって、ノードＢによるこれらキャリアの復号精度が高まる。
【００３３】
図３は、前述したようなアップリンク・チャネルの同期を実現するＵＥの概要図である。この図は、２つのデータ・ストリームを同期させることを示しているが、これは単なる例示であって、限定ではないことが認識されるべきである。本明細書に記載されたシステム３００は、さらに多くの数のチャネルを同期させることを容易にしうる。この態様によれば、ＭＡＣ（媒体アクセス制御）レイヤからの２つの伝送ブロックがまず、コーダ／マルチプレクサ３０２によって示されているようなチャネル符号化および多重化のために処理される。送信されるべき符号化されたデータはその後、チャネライザ／スプレッダ３０４によって、チャネル化コードを用いて拡散される。チャネル化コードを用いて拡散されたデータは、フィルタ３０６を通される。２つのデジタル・ストリームが、フェーズ・シフト後に結合され、アナログ・フォーマットへ変換するために単一のデータ・ストリームが生成される。このアナログ信号は、（Ｆ１＋Ｆ２）／２において示されるように、信号ＲＦソースによって変調される。したがって、２つのキャリアの間で同期が維持される。これは、アップリンク測定値に基づく位置決めを容易にする。より広い周波数は、より良好な時間分解能をもたらすので、複数のアップリンク・キャリアを用いることによって、特にマルチ・パス・リッチな環境において、実質的に位置決めの精度を高めうる。それぞれのパイロット送信に基づいて、２つのキャリアを別々に計時するよりも、同期させる方がより容易であるので、このアーキテクチャは、ＵＥにおける送信データの符号化を容易にする。
【００３４】
図４は、態様にしたがって、より良好な精度を有するアップリンク送信を構成する方法論４００を示す。この方法は４０２で始まり、ここでは、さまざまなアップリンク・キャリアに関連付けられた送信データが受信される。別の態様によれば、アップリンク・キャリアは、非アンカ／２次キャリア、および、ＳＩを送信している対応するアンカ・キャリアのうちの１または複数でありうる。したがって、アップリンク送信は、さまざまな態様にしたがって、制御データとユーザ・データとの両方を備えうる。４０４では、アップリンク・アンカ・キャリアの送信タイミングが先ず計算される。４０６では、アップリンクで利用されているその他のキャリアがあるかが判定される。アップリンクで利用されているその他のキャリアが存在しない場合、方法は４１０に進む。４０６では、構成される必要のあるその他の非アンカ／２次キャリアが存在すると判定された場合、方法は４０８に進み、他のアップリンク・キャリアの送信タイミングが決定される。前述したように、アップリンク非アンカ・キャリアのアップリンク送信タイミングは、アップリンク・アンカ・キャリアの送信タイミング、または、アップリンク・アンカ・キャリアおよび１または複数のその他の非アンカ・キャリアの送信タイミングの組み合わせに基づきうる。アップリンク・データ・ストリームは、４０８で示されるように計算されたさまざまな送信タイミングにしたがって構成される。構成されたデータ・ストリームは、４１０で示されるように送信される。同じセル内では、ＵＥは、別の送信タイミングを持つ別のアンカ・キャリアにおける動作を開始しうることも注目されうる。これは、例えば負荷平準化のようなさまざまな理由によって生じうる。アンカ・キャリアのこのような変化は、非アンカ／２次キャリアの送信タイミングにおける対応する変化をもたらしうる。しかしながら、両方のアンカ・キャリアとも同じ送信タイミングを有している場合には、変化は生じないことがありうる。
【００３５】
図５は、より詳細な態様にしたがって、アップリンク送信を構成する方法論を例示するフロー・チャート５００である。この方法論は、ステップ５０２で始まり、ここでは、アップリンク・アンカ・キャリアの送信タイミングが決定される。態様によれば、アップリンク・アンカ・キャリア送信タイミングは、ＵＥにサービス提供しているノードＢからの制御送信によって決定されうる。さらなる態様では、１または複数の非アンカ・キャリアのアップリンク送信タイミングが、ノードＢから受信された送信に基づいても決定されうる。５０４では、構成されるべきその他のキャリアが存在するかが判定される。例えば、ＵＥがユーザ・データと制御データとの両方を送信している場合、アップリンク送信は、制御データおよび／またはＳＩを送信しているアンカ・キャリアとして、および、ユーザ・データの送信のための非アンカ・キャリアとして構成されうる。５０４では、構成されるべきキャリアがもはや存在しないと判定された場合、アンカ・キャリアが、５１０において示されるように送信され、この方法は、終了ブロックで終了する。５０４では、１または複数の非アンカ・キャリアが、構成される必要があると判定された場合、方法は５０６に移動する。前述したように、非アンカ・キャリアの送信タイミングは、ノードＢからの送信に基づいて、あるいは、アップリンク・アンカ・キャリアの送信タイミングに基づいて計算される。特に、さまざまなキャリア間のフェーズ関係が、アンカ・キャリア送信タイミングに基づいて決定されうる。例えば、アンカ・キャリアおよび非アンカ・キャリアは、互いに特定のフェーズ関係を維持するように、アンカ・キャリアの送信タイミングに基づいて、あるいは、アップリンク・アンカ・キャリアおよび１または複数の非アンカ・キャリアの送信タイミングの組み合わせに基づいて構成されうる。したがって、５０６では、さまざまなキャリア間で維持されるべきフェーズ関係が決定される。特に、アンカ・キャリアおよび対応する非アンカ・キャリアの送信波形が、時間において完全に揃うようにフェーズ関係が進展される。５０８では、予め定められたフェーズ関係にしたがって非アンカ・キャリアが構成され、５１０に図示するように、構成されたすべてのキャリアが送信される。
【００３６】
図６は、態様にしたがって、アップリンク送信を受信する方法を詳述するフロー・チャート６００である。この方法は６０２で始まり、ここでは、ＵＥからの１または複数のアップリンク送信が受信される。さらなる態様では、アップリンク送信のうちの少なくとも１つは、ＵＥに関連付けられた制御データを伝送するアンカ・キャリアである。６０４では、受信されたアップリンク送信の中からアンカ・キャリアが識別され、６０６において、このアンカ・キャリアの送信タイミングが決定される。アップリンク送信はさらに、１または複数の非アンカ・キャリアを備えうる。したがって、この方法は、対応するアンカ・キャリアに関連付けられた非アンカ・キャリアの送信タイミングを決定するために、アンカ・キャリア（単数または複数）の送信タイミングを利用することを含む。特に、ＵＥからのアンカ・キャリアは、対応する非アンカ・キャリアとの特定のフェーズ関係を持つ。ここで、この関係は、アンカ・キャリアおよび対応する非アンカ・キャリアの送信波形が、時間において完全に揃うように、アンカ・キャリア送信タイミングに、あるいは、アンカ・キャリアおよび１または複数の非アンカ・キャリアの送信タイミングの組み合わせに依存するだろう。したがって、ＵＥからのアンカ・キャリアと対応する非アンカ・キャリアとの間の関係が、６０８に示されるように決定される。６１０では、この関係を用いて、非アンカ・キャリア送信タイミングが導出される。
【００３７】
図７は、非アンカ・アップリンク・キャリアと、対応するアンカ・キャリアとの同期によってノードＢにおいて生じる並列処理を詳述するフロー・チャート７００である。ノードＢは、セル内の複数のＵＥにサービス提供するために、複数のアンカ・キャリアを伝搬しうる。複数のＵＥに対してサービス提供するために１つのアンカ・キャリアが使用される間、おのおののＵＥは、ＳＩを受信するために単一のアンカ・キャリアしか使用しない。したがって、ＵＥからのその他の非アンカ・アップリンク送信は、前述したように、アンカ・キャリアと同期される。ＵＥからの送信は、対応するアンカ・キャリアと同期されるので、この態様はまた、セル内のさまざまなＵＥからのキャリアの並列処理を容易にもする。フロー・チャート７００は７０２で始まり、ここでは、さまざまな送信が、異なるＵＥから受信される。これらの送信は、態様にしたがって、アンカ・キャリアと非アンカ・キャリアとの両方を備えうる。したがって、さまざまなＵＥから受信された送信は、７０４に示すように、アンカ・キャリアと、対応する非アンカ・キャリアとを識別するために分解される。非アンカ・キャリアのタイミングは、対応するアンカ・キャリアのタイミングに基づいて推定／決定されうる。したがって、７０６では、ノードＢはまず、アンカ・キャリアのタイミングを決定する。この態様によれば、先ず、セル内のＵＥのアンカ・キャリアの送信タイミングが、サービス提供しているノードＢによって設定されるので、アンカ・キャリア送信タイミングを決定するステップは、関連付けられたメモリ・モジュールから情報を単純に検索することを含みうる。対応する非アンカ・キャリアは、それぞれのアンカ・キャリアとのフェーズ関係を維持しているので、７０８に示されているように、この関係に基づいて、非アンカ・キャリアの送信タイミングもまた決定／推定されうる。ノードＢにおけるさまざまなキャリアの到着は、推定された送信タイミングに基づいて予測されうるので、７１０に示されるように、非アンカ・キャリアのタイミングを推定するためのこの能力は、別のＵＥからの送信の並列処理の実行を容易にする。これは、非アンカ・アップリンク・キャリアが、それぞれのパイロット送信と同期していないのであれば、可能ではないだろう。
【００３８】
図８は、態様にしたがって、アップリンク送信の受信、および、送信元のＵＥの位置決めのための方法を詳述するフロー・チャート８００である。この方法は８０２で始まり、ここでは、ＵＥからの１または複数のアップリンク送信が受信される。さらなる態様では、アップリンク送信のうちの少なくとも１つは、ＵＥに関連付けられた制御データを伝送するアンカ・キャリアである。８０４では、受信したアップリンク送信の中からアンカ・キャリアが識別され、８０８では、アンカ・キャリアの送信タイミングが決定される。アップリンク送信はさらに、１または複数の非アンカ・キャリアを備えうる。特に、ＵＥからのアンカ・キャリアは、対応する非アンカ・キャリアとの特定のフェーズ関係を持つ。ここでは、この関係は、アンカ・キャリア送信タイミング、あるいは、アンカ・キャリアおよび１または複数の対応する非アンカ・キャリアの送信タイミングの組み合わせに依存するであろう。したがって、８０８に示されるように、ＵＥからの、アンカ・キャリアと、対応する非アンカ・キャリアとの間の関係が決定される。より詳細な態様では、この関係は、例えば、時間的に揃えられたすべてのアップリンク・キャリアを維持することによって、送信のフェーズに基づきうる。この手順は、ノードＢにおいてアップリンク送信を復号する処理を簡略化し、復号誤りを緩和するのみならず、ステップ８１０に示すように、ＵＥの位置決めを実質的に高める。したがって、同期された複数のキャリアからのより広い周波数を適用することによって、より良い時間分解能が得られるので、複数のアップリンク・キャリアを利用することによって、ＵＥの位置決めにおける精度が向上されうる。
【００３９】
本方法および装置は、非アンカ・キャリアのノードＢの獲得を単純化する。さらに、これは、アップリンク測定値に基づく位置決めに役立ちうる。複数のアップリンク・キャリアを利用することは、特に、マルチ・パス・リッチな環境における位置決め精度を向上しうる。これは、不確定性原理（より広い周波数が、より良好な分解能に至る）を示す。
【００４０】
図９は、本明細書に記載された別の態様にしたがって、アップリンク送信を受信し処理するためのノードＢの概要図を例示する。ノードＢ９００は、メイン・ユニット（ＭＵ）９５０およびラジオ・ユニット（ＲＵ）９７５を備えうる。ＭＵ９５０は、例えば、ベースバンド構成要素９０５、デジタル中間周波数（ＩＦ）処理ユニット９１０、およびマルチプレクサ９４０を備えるノードＢのデジタル・ベースバンド構成要素を含む。デジタルＩＦ処理ユニット９１０は、中間周波数において、フィルタリング、チャネル化、変調等のような機能を実行することによって、ラジオ・チャネル・データをデジタル処理する。ＲＵ９７５は、例えば、ＵＥからのラジオ通信を受信する１または複数のアンテナ９３５ａ−ｔに接続された受信機９３０のような、１または複数の受信手段を含む。態様では、１または複数の電力増幅器９４５ａ−ｔが、１または複数のアンテナ９３５ａ−ｔに接続されている。受信機９３０には、アナログ・デジタル（Ａ／Ｄ）変換器９２５が接続されている。これは、受信機９３０によって受信されたアナログ・ラジオ通信を、デジタルＩＦ処理ユニット９１０を介したベースバンド構成要素９０５への送信のためのデジタル入力に変換する。したがって、少なくとも１つのアンカ・キャリアを含む複数のキャリアを備える異なるＵＥからの送信が、受信機９３０によって受信される。ＲＵ９７５また、例えば、アンカ・キャリアの送信タイミングを含むラジオ通信をＵＥへ送信するために、同じまたは異なるアンテナ９３５の何れかに接続された１または複数の送信機９２０を含みうる。送信機９２０には、デジタル・アナログ（Ｄ／Ａ）変換器９１５が接続されている。これは、ベースバンド構成要素９０５から、デジタルＩＦ処理ユニット９１０を経由して受信したデジタル通信を、ＵＥへの送信のためのアナログ出力へ変換する。いくつかの実施形態では、マルチプレクサ９４０は、複数チャネル信号を多重化するために、および、音声信号およびデータ信号を含むさまざまな信号の多重化のために使用される。例えば中央処理装置９８０のように、例えば、キャリア処理タスクまたはその他の処理タスクのための送信タイミングのようなユーザ・データまたは制御データを処理することを含むさまざまな処理を制御するための処理手段が、メイン・ユニット９５０およびラジオ・ユニット９７５に接続されている。例えば、送信元のＵＥが、アップリンク・アンカ・キャリア送信タイミングに基づいて、全てのアップリンク・キャリアを同期させるものと仮定すると、プロセッサ９８０は、アンカ・キャリアの送信タイミングに基づいて、ノードＢ９００で受信したアップリンク非アンカ・キャリアの送信タイミングを導出しうる。
【００４１】
図１０は、ＭＩＭＯシステム１０００における送信機システム１０１０（アクセス・ポイントまたは基地局またはノードＢとしても知られている）および受信機システム１０５０（アクセス端末またはユーザ機器としても知られている）の実施形態のブロック図である。送信機システム１０１０では、多くのデータ・ストリーム用のトラフィック・データが、データ・ソース１０１６から送信（ＴＸ）データ・プロセッサ１０１４に提供される。
【００４２】
実施形態では、おのおののデータ・ストリームが、それぞれの送信アンテナを介して送信される。ＴＸデータ・プロセッサ１０１４は、おのおののデータ・ストリームのトラフィック・データ・ストリームをフォーマットし、このデータ・ストリームのために選択された特定の符合化スキームに基づいて符号化し、インタリーブして、符合化されたデータを提供する。
【００４３】
おのおののデータ・ストリームの符号化されたデータは、ＯＦＤＭ技術を用いて、メモリ１０３２から検索されたパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ１０３０によって実行される命令群によって決定されうる。
【００４４】
すべてのデータ・ストリームの変調シンボルは、（例えば、ＯＦＤＭのために）変調シンボルをさらに処理するＴＸ  ＭＩＭＯプロセッサ１０２０に提供される。ＴＸ  ＭＩＭＯプロセッサ１０２０は、その後、ＮＴ個の変調シンボル・ストリームを、ＮＴ個の送信機（ＴＭＴＲ）１０２２ａ乃至１０２２ｔへ提供する。ある実施形態では、ＴＸ  ＭＩＭＯプロセッサ１０２０は、データ・ストリームのシンボル、および、そのシンボルが送信されるアンテナへ、ビームフォーミング重みを適用する。
【００４５】
おのおのの送信機１０２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１０２２ａ乃至１０２２ｔからのＮＴ個の変調信号はそれぞれ、ＮＴ個のアンテナ１０２４ａ乃至１０２４ｔへ送信されうる。
【００４６】
受信機システム１０５０では、送信された変調信号がＮＲ個のアンテナ１０６２ａ乃至１０６２ｒによって受信され、おのおののアンテナ１０６２からの受信信号が、それぞれの受信機（ＲＣＶＲ）１０６４ａ乃至１０６４ｒへ提供される。おのおのの受信機１０６４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。これは、メモリ１０７２に格納されうる。
【００４７】
ＲＸデータ・プロセッサ１０６０は、ＮＲ個の受信機１０６４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１０６０は、その後、検出されたおのおののシンボル・ストリームを復調し、デインタリーブし、復号して、そのデータ・ストリームのためのトラフィック・データを復元する。ＲＸデータ・プロセッサ１０６０による処理は、送信機システム１０１０におけるＴＸ  ＭＩＭＯプロセッサ１０２０およびＴＸデータ・プロセッサ１０１４によって実行されるものと相補的である。
【００４８】
プロセッサ１０７０は、上述したように、どの事前符合化行列を使用するのかを定期的に決定する。さらに、プロセッサ１０７０は、行列インデクス部およびランク値部を備えた逆方向リンク・メッセージを規定することができる。
【００４９】
逆方向リンク・メッセージは、通信リンク、および／または、メモリ１０７２から検索された受信されたデータ・ストリームに関するさまざまなタイプの情報を備えうる。逆方向リンク・メッセージは、多くのデータ・ストリームのトラフィック・データをデータ・ソース１０７４から受け取るＴＸデータ・プロセッサ１０６８によって処理され、変調器１０８０によって変調され、送信機１０６４ａ乃至１０６４ｒによって調整され、送信機システム１０１０へ送り戻される。
【００５０】
送信機システム１０１０では、受信機システム１０５０からの変調された信号が、アンテナ１０２４によって受信され、受信機１０２２によって調整され、復調器１０４０によって復調され、ＲＸデータ・プロセッサ１０４２によって処理されて、受信機システム１０５０によって送信された逆方向リンク・メッセージが抽出される。さらに、プロセッサ１０３０は、ビームフォーミング重みを決定するためにどの事前符合化行列を使用するかを決定するために、この抽出されたメッセージを処理する。
【００５１】
図１１に示すように、１つの実施形態にしたがう多元接続無線通信システムが例示される。ノードＢ１１００は、１つは１１０２と１１０４、もう１つは１１０６と１１０８、さらに別のグループは１１１０と１１１２を含む複数のアンテナ・グループを含んでいる。図１１では、おのおののアンテナ・グループについて２本のアンテナしか示されていない。しかしながら、おのおののアンテナ・グループについて、それより多くまたはそれより少ないアンテナが利用されうる。ユーザ機器１１１６（ＵＥ）は、アンテナ１１１０、１１１２と通信しており、アンテナ１１１０、１１１２は、順方向リンク１１２０でＵＥ１１１６へ情報を送信し、逆方向リンク１１１８でＵＥ１１６から情報を受信する。ＵＥ１１２２は、アンテナ１１０６、１１０８と通信している。ここで、アンテナ１１０６、１１０８は、順方向リンク１１２６でＵＥ１１２２に情報を送信し、逆方向リンク１１２４でＵＥ１１２２から情報を受信する。ＦＤＤシステムでは、通信リンク１１１８、１１２０、１１２４、１１２６は、通信のために、異なる周波数を使用しうる。例えば、順方向リンク１１２０は、逆方向のリンク１１１８によって使用されるものとは異なる周波数を使用することができる。
【００５２】
通信するように設計された領域および／またはアンテナのおのおののグループは、しばしば、アクセス・ポイント／基地局のセクタと称される。実施形態では、これらアンテナ・グループは、ノードＢ／アクセス・ポイント／基地局１１００（ＡＰ／ＢＳ）によってカバーされているエリアまたはセクタ内のアクセス端末と通信するように設計されている。
【００５３】
順方向リンク１１２０、１１２６による通信では、ノードＢ１１００の送信アンテナは、異なるユーザ機器１１１６、１１２２のための順方向リンクの信号対雑音比を改善するために、ビームフォーミングを利用する。さらに、有効通信範囲にわたってランダムに散在するＵＥへ送信するためにビームフォーミングを利用するノードＢは、すべてのＵＥに対して単一のアンテナで送信しているノードＢよりも、近隣セル内のＵＥに対して少ない干渉しかもたらさない。
【００５４】
ノードＢは、端末と通信するために使用される固定局であり、アクセス・ポイント、基地局、あるいはその他幾つかの専門用語でも称されうる。アクセス端末はまた、ユーザ機器（ＵＥ）、無線通信デバイス、端末、あるいはその他のいくつかの用語で称されうる。
【００５５】
態様では、論理チャネルが、制御チャネルとトラフィック・チャネルとに分類される。論理制御チャネルは、以下を備える。システム制御情報をブロードキャストするためのＤＬチャネルであるブロードキャスト制御チャネル（ＢＣＣＨ）。ページング情報を転送するＤＬチャネルであるページング制御チャネル（ＰＣＣＨ）。１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルは、ユーザ情報の転送のために、１つのＵＥに専用のポイント・トゥ・ポイント双方向チャネルである専用トラフィック・チャネル（ＤＴＣＨ）と、トラフィック・データを送信するためのポイント・トゥ・マルチポイントＤＬチャネルのためのマルチキャスト・トラフィック・チャネル（ＭＴＣＨ）とを備える。
【００５６】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００５７】
さらに、本明細書に開示された態様に関連して記載された方法またはアルゴリズムからなるステップおよび／または動作は、ハードウェア内に直接的に組み込まれるか、プロセッサによって実行されるソフトウェア・モジュール内に組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいはプロセッサと記憶媒体とは、ユーザ端末内のディスクリート部品として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００５８】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【００５９】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に、本願出願の当初の特許請求の範囲に記載された発明を付記する。
［Ｃ１］
無線通信システムにおいて動作可能な装置であって、
１または複数のアップリンク・キャリアのための送信データを生成するプロセッサと、  前記１または複数のアップリンク・キャリアに関連付けられた送信タイミングを同期させる同期構成要素と、
前記同期構成要素による同期後に前記１または複数のアップリンク・キャリアを送信する送信構成要素と、
前記プロセッサに接続され、前記送信データを格納するためのメモリと
を備える装置。
［Ｃ２］
前記１または複数のアップリンク・キャリアは、少なくともアンカ・キャリアを備え、これによって、前記アンカ・キャリアのアップリンク送信タイミング、または、前記アンカ・キャリアおよび１または複数の非アンカ・キャリアの送信タイミングの組み合わせによって、共通アップリンク送信タイミングが決定されるようにしたＣ１に記載の装置。
［Ｃ３］
前記送信データを多重化するためのマルチプレクサをさらに備えるＣ１に記載の装置。
［Ｃ４］
前記同期構成要素による同期後に、前記１または複数のアップリンク・キャリアのデータ・ストリームを結合することによって得られる単一のデジタル・データ・ストリームをアナログ信号に変換するデジタル・アナログ変換器をさらに備えるＣ１に記載の装置。
［Ｃ５］
無線通信システムにおいて使用される方法であって、
情報を送信するため１または複数のアップリンク・キャリアを構成することと、
前記１または複数のアップリンク・キャリアが、予め定められたフェーズ関係を互いに持つように、前記１または複数のアップリンク・キャリアを同期させることと、
前記同期後に、前記アップリンク・キャリアを送信することと
を備える方法。
［Ｃ６］
前記構成することは、アンカ・キャリアを構成することを含むＣ５に記載の方法。
［Ｃ７］
前記同期がなされると、前記アップリンク・キャリアを、受信されたキャリアのうちの少なくともサブセットとペアリングすることをさらに備えるＣ６に記載の方法。
［Ｃ８］
前記同期させることはさらに、前記アンカ・キャリアの送信タイミングに基づいて、あるいは、前記アンカ・キャリアおよび、前記アップリンク・キャリア内に備えられた１または複数の非アンカ・キャリアの送信タイミングの組み合わせに基づいて、前記１または複数のアップリンク・キャリアを同期させることを含むＣ７に記載の方法。
［Ｃ９］
コンピュータ読取可能媒体を備えるコンピュータ・プログラム製品であって、
情報を送信するため１または複数のアップリンク・キャリアを構成することと、
前記１または複数のアップリンク・キャリアが、時間において互いに揃うように、前記アップリンク・キャリア間で送信タイミングを同期させることと、
のためのコードを備えるコンピュータ読取可能媒体を備えるコンピュータ・プログラム製品。
［Ｃ１０］
前記アップリンク・キャリアのうちの少なくとも１つをアンカ・キャリアとして構成するための命令群をさらに備えるＣ９に記載のコンピュータ・プログラム製品。
［Ｃ１１］
少なくとも、前記アンカ・キャリアの送信タイミングに基づいて、あるいは、前記アンカ・キャリアおよび、前記アップリンク・キャリア内に備えられた１または複数の非アンカ・キャリアの送信タイミングの組み合わせに基づいて、前記アップリンク・キャリア間での時間アライメントを維持するための命令群をさらに備えるＣ１０に記載のコンピュータ・プログラム製品。
［Ｃ１２］
前記アップリンク・キャリアを、単一のストリームに結合するための命令群をさらに備えるＣ１１に記載のコンピュータ・プログラム製品。
［Ｃ１３］
前記単一のストリームを、送信のためアナログ信号に変換するための命令群をさらに備えるＣ１２に記載のコンピュータ・プログラム製品。
［Ｃ１４］
無線通信システムにおいて動作可能な装置であって、
データを送信するため１または複数のキャリアを構成する手段と、
前記１または複数のキャリアが、予め定められた時間アライメントを互いに維持するように、前記キャリア間の送信タイミングを同期させるための手段と
を備える装置。
［Ｃ１５］
前記１または複数のキャリアのうちの少なくとも１つは、アンカ・キャリアであるＣ１４に記載の装置。
［Ｃ１６］
無線通信システムにおいて動作可能な装置であって、
１または複数のアップリンク・キャリアを、送信元のＵＥから受信する受信機と、
前記１または複数のアップリンク・キャリアによって前記ＵＥから受信したデータを読み取るプロセッサとを備え、
前記アップリンク・キャリアの送信タイミングが、互いに同期される装置。
［Ｃ１７］
前記アップリンク・キャリアのうちの少なくとも１つは、アンカ・キャリアであるＣ１６に記載の装置。
［Ｃ１８］
前記アップリンク・キャリアの送信タイミングは、前記アンカ・キャリアに割り当てられた送信タイミングに基づいて、あるいは、前記アンカ・キャリアおよび、前記アップリンク・キャリア内に備えられた１または複数の非アンカ・キャリアに関連付けられた送信タイミングの組み合わせに基づいて決定されるＣ１７に記載の装置。
［Ｃ１９］
無線通信システムにおいて使用される方法であって、
少なくとも１つのアップリンク・アンカ・キャリアを備える複数のキャリアを受信することと、
前記複数のアップリンク・アンカ・キャリア内に備えられた非アンカ・キャリアの送信タイミングを、対応するアンプリンク・アンカ・キャリアの送信タイミングに基づいて、あるいは、前記対応するアップリンク・アンカ・キャリアおよび、前記対応するアップリンク・アンカ・キャリアに関連付けられた１または複数のその他の非アンカ・キャリアの送信タイミングの組み合わせに基づいて推定することと
を備える方法。
［Ｃ２０］
前記複数のキャリアのうちの少なくともサブセットを送信しているＵＥの位置を、前記複数のキャリアのサブセットの送信タイミングに基づいて判定することをさらに備えるＣ１９に記載の方法。
［Ｃ２１］
前記複数のキャリアを、複数のＵＥから受信することをさらに備えるＣ１９に記載の方法。
［Ｃ２２］
少なくとも、それぞれのアップリンク・キャリアの、推定された送信タイミングに基づいて、前記複数のＵＥからの送信を同時に処理することをさらに備えるＣ２１に記載の方法。
［Ｃ２３］
コンピュータ読取可能媒体を備えるコンピュータ・プログラム製品であって、
１または複数のアップリンク・アンカ・キャリアを備える複数のキャリアを受信することと、
前記複数のキャリア内に備えられた少なくとも１つの非アンカ・キャリアの送信タイミングを、対応するアップリンク・アンカ・キャリアの送信タイミングに基づいて、あるいは、前記対応するアップリンク・アンカ・キャリアおよび、前記対応するアップリンク・アンカ・キャリアに関連付けられた１または複数のその他の非アンカ・キャリアの送信タイミングの組み合わせに基づいて決定することと、
のためのコードを備えるコンピュータ読取可能媒体を備えるコンピュータ・プログラム製品。
［Ｃ２４］
前記複数のキャリアのうちの少なくともサブセットを送信しているＵＥの位置を、少なくとも、前記複数のキャリアのサブセットの送信タイミングに基づいて決定するためのコードをさらに備えるＣ２３に記載のコンピュータ・プログラム製品。
［Ｃ２５］
前記複数のキャリアを、複数のＵＥから受信するためのコードをさらに備えるＣ２３に記載のコンピュータ・プログラム製品。
［Ｃ２６］
前記複数のＵＥからの送信を、少なくとも、それぞれの非アンカ・キャリアの送信タイミングに基づいて同時に処理するためのコードをさらに備えるＣ２５に記載のコンピュータ・プログラム製品。
［Ｃ２７］
無線通信システムにおいて動作可能な装置であって、
少なくとも１つのアンカ・キャリアを備える複数のキャリアを受信する手段と、
前記複数のキャリア内に備えられた少なくとも１つの非アンカ・キャリアの送信タイミングを、少なくとも、前記アンカ・キャリアの送信タイミングに基いて、あるいは、前記アンカ・キャリアおよび、前記複数のキャリア内に備えられた１または複数のその他の非アンカ・キャリアの送信タイミングの組み合わせに基いて決定する手段と
を備える装置。
【図１】
0005490872.tif 000002
【図２】
0005490872.tif 000003
【図３】
0005490872.tif 000004
【図４】
0005490872.tif 000005
【図５】
0005490872.tif 000006
【図６】
0005490872.tif 000007
【図７】
0005490872.tif 000008
【図８】
0005490872.tif 000009
【図９】
0005490872.tif 000010
【図１０】
0005490872.tif 000011
【図１１】
0005490872.tif 000012